(57)【要約】　　　（修正有）【課題】コンセント穴から派生されるいろいろな安全問題をより抜本的に解消しうるコンセントの安全保護プレートを提供する。【解決手段】２個のプラグピン１，１’を備えたコンセント保護具３の前面に係止突起５，５’を形成し、底面に開口部を形成した安全プレート１０のガイド穴内１２に挿入した後、コンセントの保護具をコンセント穴に差し込みコンセントが安全保護プレートに覆われ外部へ露出しないようにする一方、コンセント使用時には安全プレートを上側に押し上げ露出した下側コンセント穴にプラグを接続させて使用できるようにする。【選択図】　　図２
0003100309.tif 000002
【実用新案登録請求の範囲】
【請求項１】
　２個のプラグピンを備えたコンセント保護具を有し、前記コンセント保護具の前面にストッパーを備えた係止突起を設けると共にその内側に通穴が貫通するように穿設されており、
　前記コンセント保護具は、底面に開口部を形成した安全プレートの中心線上に穿設されたガイド穴に挿入され、かつ、
　前記ガイド穴の周囲に凹入部が形成されると共にその内周縁部に削成された結合溝にカバーの突起を嵌入させて安着させたことを特徴とするコンセント安全保護プレート。
【請求項２】
　前記ガイド穴の上側内周縁部に複数の安着溝を削成したことを特徴とする請求項１に記載のコンセント安全保護プレート。
【請求項３】
　前記ガイド穴の下端部に拡張部を形成したことを特徴とする請求項１に記載のコンセント安全保護プレート。
【考案の詳細な説明】
【技術分野】
【０００１】
　この考案は、コンセントの安全保護プレートに関するもので、２個のプラグピンを備えられたコンセント保護具の前面に係止突起を形成して、底面に開口部を形成された安全プレートのガイド穴内に挿入させた後、前記コンセントの保護具をコンセント穴に差し込んでコンセントが安全保護プレートに覆われて外部へ露出されないようにする一方で、コンセントの使用時には安全プレートを上側へ押し上げて露出された下側コンセント穴にプラグを接続させて使用できるようにすることによって、幼児らのいたずらあるいは不注意によってコンセント穴に箸などが差し込まれて感電事故が生するのを予防するとともに、コンセント穴の内部へゴミなどの異物あるいは湿気などの流入による接続不良あるいは漏電などの発生を防止できるようにし、施工段階で予備用コンセント箱にあらかじめ設られた埋設型コンセントに安全プレートをかぶせて置くことによって、入居後、消費者が別途にコンセントを設けずに安全プレートを開けてコンセントを直ちに簡便に使用できるようにされたものである。
【背景技術】
【０００２】
　一般に、１個あるいは２個以上のコンセント穴を備えられた壁埋設型コンセントの場合、コンセント穴が外部へそのまま露出されているか、あるいはコンセント穴を内部あるいは外部で安全カバーで塞いでおくことによって、幼児らのいたずらあるいは不注意によってコンセント穴に箸などが差し込まれて感電事故が発生するのを予防するとともに、コンセント穴の内部へゴミなどの異物とか湿気などの流入による接続不良あるいは漏電などの発生を防止できるようにしている。
【０００３】
　さらに、建物の施工時に、追後入居者が必要によってコンセントを設けて使用できるようにするため、壁に予備用コンセント箱を設けてその内部に電源コ-ドを引きこませておいた状態でその外部をブランクプレートでかぶせている。
【０００４】
　ところが、このような従来のコンセントの安全装置の場合、多くはコンセント穴自体だけを各種の手段の安全カバーで塞いでおく場合がほとんどであることから、コンセント穴が部分的に露出されるようになって危険要素が依然として存在するようになる場合が多かったし、とりわけ、コンセント穴を塞いでいる安全装置が各種の複雑な機構的構成をなすことによって、故障が起こりやすくなり、安全装置本来の目的を失われることによって、コンセント穴から幼児らを安全に保護したり、コンセント穴の接続不良あるいは漏電などの発生を予防するには物足りない実情にある。
【０００５】
　さらに、従来のコンセント安全装置はコンセント穴と金属性の接地端子などが、コンセント穴の内部あるいは外部に安全装置なしに設けていることから、電気についてよく知らない消費者は漠然とした不安感をいだくようになる欠陷があったし、さらに、従来のコンセント安全装置は安全装置の機能だけを念頭におくだけで、インテリアに神経を使う余地がほとんどなかった。
【０００６】
　また、入居者が追後予備コンセント箱を使用しようとする場合、ブランクプレートを脱去させた後、予備コンセント箱に埋設型コンセントを別途に設ける作業をしなければならないことから、施工時にブランクプレートの設置作業とともに、入居後のブランクプレート脱去作業およびコンセントの設置作業をそれぞれ別途に施行しなければならない煩雑さがあった。
【考案の開示】
【考案が解決しようとする課題】
【０００７】
　そこで、この考案は上記安全装置の有している種々の問題点を解決するためになされたものであって、この考案の目的は、コンセント穴から派生されるいろいろな安全問題をより抜本的に解消しうるコンセントの安全保護プレートを提供することにある。
【０００８】
　この考案のさらに他の目的は、コンセントの安全手段を備えられたコンセントをより使用しやすいようにし、それに装飾的な効果を付与して室内のインテリアの一部になりうるコンセントの安全保護プレートを提供することにある。
【０００９】
　この考案のさらに他の目的は、建物の施工時に予備コンセント箱に設けられるブランクプレートの代替物として、建物の施工時にコンセント箱に埋設型コンセントを設けてから、その外部にこの考案のコンセントの安全保護プレートをかぶせておくことによって、入居後、消費者が予備コンセント箱に設けられたブランクプレートを取り払って壁埋設型コンセントを別途に設けるなどの作業をしなくても、この考案のコンセント安全保護プレートを開けて直ちにコンセントを使用できるようにして、使用により簡便さを提供することにある。
【課題を解決するための手段】
【００１０】
　上記のような目的を達成するためになされたこの考案は、２個のプラグピンを備えられたコンセント保護具の前面に係止突起を形成して、底面に開口部を形成された安全プレートのガイド穴内に挿入させた後、前記コンセント保護具をコンセント穴に差し込んでコンセントが安全保護プレートに覆われて外部へ露出されないようにする一方で、コンセントの使用時には安全プレートを上側に押し上げて露出された下側コンセント穴にプラグを接続させて使用できるようにすることによって、幼児らのいたずらあるいは不注意によってコンセント穴に箸などが差し込まれて感電事故が発生するのを予防するとともに、コンセント穴の内部にゴミなどの異物とか湿気などが流入されて接続不良あるいは漏電などが発生するのを防止できるようにし、施工段階で予備用コンセント箱にあらかじめ設けられた埋設型コンセントに安全プレートを覆っておくことによって、入居後、消費者が別途のコンセントを設けることなしに安全プレートを開けてコンセントを直ちに簡便に使用できるようにされたことを特徴とする。
【００１１】
　さらに、この考案のコンセント安全保護プレートは、前記ガイド穴の周囲に凹入部を形成し、その内周縁部に結合溝を削成してカバーの突起を嵌入させて安着させうるようにすることによって、カバーを各種の多様な態様と色相、模様、キャラクター、会社広報ロゴなり広告文案および材質などのデザインを施して安全プレートにインテリアとしての効果を加味できるようにされたことを特徴とする。
【００１２】
　さらに、この考案のコンセント安全保護プレートは、施工段階で予備用コンセント箱に埋設型コンセントをあらかじめ設けてから、その外部にこの考案のコンセント安全保護プレートを覆っておくことによって、入居後、消費者が別途のコンセントの設置作業なしにコンセントの安全保護プレートを開けてコンセントを直ちに簡便に使用できるようにされたことを特徴とする。
【考案の効果】
【００１３】
　したがって、上記のごときこの考案のコンセント安全保護プレートに従えば、コンセント穴がコンセント保護具に覆われた状態で壁埋設コンセントの全体が安全プレートに覆われた状態になることによって、幼児らのいたずらあるいは不注意によってコンセント穴に箸などが差し込まれて感電事故が発生するのを予防できるようになり、さらに、コンセント穴の内部にゴミなどの異物なり湿気などが流入されて接続不良あるいは漏電などが発生するのを抜本的に防止できるようになり、安全プレートの前面にいろいろな多様な態様と色相、模様、キャラクター、会社広報ロゴなり広告文案および材質のカバーが結合されることから、安全プレートにインテリアとしての機能が加味できるし、施工段階で予備用コンセント箱に埋設型コンセントをあらかじめ設けてその外部にこの考案のコンセント安全保護プレートを覆っておくことによって、入居後、消費者が別途のコンセント設置作業なしにコンセントを直ちに簡便に使用できる効果がある。
【考案を実施するための最良の形態】
【００１４】
　以下、この考案による一実施例について添付図に沿つて詳述する。
図１は、この考案の一実施例の外形斜視図であり、図２は同分解斜視図、図３はカバーを開けた状態の内部構造を示す正面図、図４はこの考案の組立状態の横断面図、図５は同縦断面図であって、この考案のコンセント安全保護プレートは２個のコンセント穴を穿設された１口あるいは２口以上の壁埋設型接地あるいは無接地多孔コンセントにすべて適用されうる。２個のプラグピン（１、１'）を備えられたコンセント保護具（３）は、その前面にストッパー（４、４'）を備えられた係止突起（５、５'）を有し、その内側に通穴（６、６'）が貫通されるように穿設されている。コンセント保護具（３）は、底面に開口部（８）を形成された安全プレート（１０）の中心線上に穿設されたガイド穴（１２）に挿入され、そのガイド穴（１２）の上側内周縁部には複数の安着溝（１５）が削成されている。
【００１５】
　さらに、前記ガイド穴（１２）の下端部には、拡張部（１６、１６'）が形成されて前記コンセント保護具（３）をプレート（１０）に挿入時に、挿入され易いようになっている。
【００１６】
　さらに、前記ガイド穴（１２）の周囲には凹入部（１７）が形成されており、その内周縁部には結合溝（１９）が削成されてカバー（２１）の突起（２３）を嵌入させて安着させうるようになっている。
【００１７】
　符号２５は、１口壁埋設コンセント、２７は２口以上の壁埋設多孔コンセント、２９、２９'、２９''、２９'''はコンセント接続端子である。
【００１８】
　かように構成されたこの考案のコンセント安全保護プレートは、１口壁埋設コンセント（２５）の場合、図６ａに示すように、まず、安全プレート（１０）のガイド穴（１２）の下端部の拡張部（１６、１６'）内にコンセント保護具（３）の上端部を底面から押し入れると、ガイド穴（１２）に係止突起（５、５'）が係止されつつ安着される。
【００１９】
　この状態で１口壁埋設コンセント（２５）のコンセント穴（２９）にコンセント保護具（３）のプラグピン（１、１'）を挿入させると、コンセント穴（２９）はコンセント保護具（３）に覆われた状態で１口壁埋設コンセント（２５）の全体が安全プレート（１０）で覆われた状態になって幼児らのいたずらあるいは不注意によってコンセント穴（２９）に箸などが差し込まれて感電事故が発生するのが予防できるようになり、さらに、コンセント穴（２９）の内部にゴミなどの異物とか湿気などが流入されて接続不良あるいは漏電などの発生を抜本的に防止できるようになる。
【００２０】
　また、１口壁埋設コンセント（２５）を使用するためには、安全プレート（１０）を引っ張ると、コンセント穴（２９）からコンセント保護具（３）のプラグピン（１、１'）が脱離されつつコンセント穴（２９）が開放されて１口壁埋設コンセント（２５）を使用できるようになる。
【００２１】
　一方で、２口以上の壁埋設多孔コンセント（２７）の場合は、図６ｂに示すように、コンセントの不使用時に前記１口壁埋設コンセント（２５）でのごとく、安全プレート（１０）にコンセント保護具（３）を安着させてから、多孔コンセント（２５）の上側コンセント穴（２９'）にコンセント保護具（３）を挿入させて上側コンセント穴（２９'）がコンセント保護具（３）に覆われた状態で多孔コンセント（２７）の全体が安全プレート（１０）で覆われた状態で保護されるようになる。
【００２２】
　この状態で多孔コンセント（２７）を使用するためには、図６ｃに示すように、安全プレート（１０）を上側に押し上げると、安全プレート（１０）はガイド穴（１２）に安着されたコンセント保護具（３）の係止突起（５、５'）に従って上昇されつつ多孔コンセント（２７）の下側部が開口部（８）を通して安全プレート（１０）の外方へ脱離するようになることによって、下側コンセント穴（２９'''）が開放されて多孔コンセント（２７）の下側コンセント穴（２９'''）にプラグを嵌入させて使用しうる状態となる。
【００２３】
　さらに、多孔コンセント（２７）のコンセント穴（２９'、２９''、２９'''）をすべて使用する場合は、安全プレート（１０）のコンセント保護具（３）を上側コンセント穴（２９'）から分離してコンセント穴（２９'、２９''、２９'''）を使用する。
【００２４】
　併せて、この考案のコンセント安全装置は、前記ガイド穴（１２）の周囲に凹入部（１７）を形成し、その内周縁部に結合溝（１９）を削成してカバー（２１）の突起（２３）を嵌入させて安着されていることから、カバー（２１）をいろいろな多様な態様と色相、模様、キャラクター、会社広報ロゴなり広告文案および材質などにデザインできるようになって安全プレート（１０）にインテリアとしての機能が加味できるようになる長所がある。
【００２５】
　さらに、この考案のコンセント安全保護プレートは、施工段階で予備用コンセント箱に埋設型コンセントをあらかじめ設けてから、その外部にこの考案のコンセント保護具（３）と安全プレート（１０）を覆っておくことによって、入居後、消費者が別途のコンセント設置作業なしに安全プレート（１０）を開けてコンセントを直ちに簡便に使用することができる。
【００２６】
　以上のとおり、この考案を特定の実施例によって述べたが、この考案はこの考案の技術的思想の範囲内で各種の変形例がありうるし、前記実施例だけによってこの考案の技術的範囲が限定されないのはいうまでもない。
【図面の簡単な説明】
【００２７】
【図１】この考案の一実施例の外形斜視図である。
【図２】この考案の一実施例の分解斜視図である。
【図３】カバーを開けた状態の内部構造を示す正面図である。
【図４】この考案の組立状態の横断面図である。
【図５】この考案の組立状態の縦断面図である。
【図６ａ】この考案の作動状態を示す縦断面図であって、１口コンセントに結合された状態の縦断面図である。
【図６ｂ】この考案の作動状態を示す縦断面図であって、３口多孔コンセントに結合された状態の縦断面図である。
【図６ｃ】この考案の作動状態を示す縦断面図であって、３口多孔コンセントにプラグを結合させた状態の縦断面図である。
【符号の説明】
【００２８】
１、１’：プラグピン
３：コンセント保護具
４、４'：ストッパー
５、５'：係止突起
６、６'：通穴
８：開口部
１０：安全プレート
１２：ガイド穴
１５：安着溝
１６、１６'：拡張部
１７：凹入部
１９：結合溝
２１：カバー
２３：突起
２５：１口壁埋設コンセント
２７：多孔コンセント
２９、２９'、２９''、２９'''：コンセント接続端子
【図１】
0003100309.tif 000003
【図２】
0003100309.tif 000004
【図３】
0003100309.tif 000005
【図４】
0003100309.tif 000006
【図５】
0003100309.tif 000007
【図６ａ】
0003100309.tif 000008
【図６ｂ】
0003100309.tif 000009
【図６ｃ】
0003100309.tif 000010